(57)【要約】【課題】収容している製品に大きな衝撃が加わりにくい包装材、梱包材、梱包材の搬送方法、および、梱包物を提供する。【解決手段】包装材３０は、製品が載せられる底壁４０と、底壁４０に繋がる複数の壁を有し底壁４０の周囲に配置される周壁５０とを備える。包装材３０は、周壁５０と底壁４０とにより製品を収容する収容空間３０Ａを形成する収容状態と、周壁５０が展開された状態である展開状態とに変形可能である。周壁５０は、収容状態において収容空間３０Ａを介して対向する一対の主壁６０、７０と、収容状態において一対の主壁６０、７０の間に位置する第１の保護壁８０とを有する。第１の主壁６０は、収容状態において第１の保護壁８０と面接触する第１の主壁側部６１Ａを有する。【選択図】図２
2018024442.tif 000002
【特許請求の範囲】
【請求項１】
製品が載せられる底壁と、前記底壁に繋がる複数の壁を有し前記底壁の周囲に配置される周壁とを備え、前記周壁と前記底壁とにより前記製品を収容する収容空間を形成する収容状態と、前記周壁が展開された状態である展開状態とに変形可能な包装材であって、
前記周壁は、前記収容状態において前記収容空間を介して対向する一対の主壁と、前記収容状態において前記一対の主壁の間に位置する少なくとも１つの保護壁とを有し、
前記一対の主壁の少なくとも一方は、前記収容状態において前記保護壁と面接触する主壁側部を有する
包装材。
【請求項２】
前記一対の主壁の少なくとも一方は、前記主壁側部に加えて、前記収容状態において前記底壁と面接触する主壁底部を有する
請求項１に記載の包装材。
【請求項３】
前記保護壁は、前記収容状態において前記底壁と面接触する保護底部を有する
請求項２に記載の包装材。
【請求項４】
前記周壁は、前記保護壁としての第１の保護壁に加えて、前記収容状態において前記収容空間を介して前記第１の保護壁と対向する第２の保護壁をさらに備え、
前記一対の主壁の少なくとも一方は、前記主壁側部としての第１の主壁側部に加えて、前記収容状態において前記第２の保護壁と面接触する第２の主壁側部を有する
請求項１〜３のいずれか一項に記載の包装材。
【請求項５】
前記底壁および前記周壁の少なくとも一方は、前記収容状態において空気が通過する通路を形成する空気通路形成構造を有する
請求項１〜４のいずれか一項に記載の包装材。
【請求項６】
前記主壁の少なくとも一方は、前記収容状態において前記製品と接触する保持リブを備える
請求項１〜５のいずれか一項に記載の包装材。
【請求項７】
前記周壁および前記底壁の少なくとも一方と繋がり、前記収容状態において前記収容空間を複数の空間に区切る仕切壁をさらに備える
請求項１〜６のいずれか一項に記載の包装材。
【請求項８】
前記仕切壁は、前記一対の主壁の少なくとも一方から前記収容空間側に突出する主壁突出部を有し、
前記主壁突出部は、前記製品と接触可能な接触面を有する
請求項７に記載の包装材。
【請求項９】
前記底壁および前記周壁は、シート材により構成され、一方の面の凸形状と他方の面の凹形状とが対応関係にある
請求項１〜８のいずれか一項に記載の包装材。
【請求項１０】
請求項１〜９のいずれか一項に記載の包装材と、
前記収容状態の前記包装材を収容可能である外箱とを備える梱包材であって、
前記製品を保持している力が５Ｎ以上かつ２０Ｎ以下である
梱包材。
【請求項１１】
前記外箱は、前記包装材を収容する収容状態と、折り畳まれた状態である折畳状態とに変形可能である
請求項１０に記載の梱包材。
【請求項１２】
請求項１０または１１に記載の前記梱包材のうちの前記包装材を展開状態で重ね合わせる
梱包材の搬送方法。
【請求項１３】
請求項１１に記載の前記梱包材を搬送する梱包材の搬送方法であって、
複数の前記外箱を折畳状態で重ね合わせ、複数の前記包装材を展開状態で重ね合わせる
梱包材の搬送方法。
【請求項１４】
請求項１０または１１に記載の梱包材と、
前記収容状態の前記包装材に収容されている前記製品とを備える
梱包物。
【発明の詳細な説明】
【技術分野】
【０００１】
本発明は、包装材、梱包材、梱包材の搬送方法、および、梱包物に関する。
【背景技術】
【０００２】
従来より、電子機器等の製品を搬送するために用いられる包装材が知られている。その一例である特許文献１に記載の包装材は、製品が載せられる底壁と、底壁と繋がる２つの側壁とを備える。この包装材は、２つの側壁が底壁から立ち上がり、製品を収容可能な収容空間を形成する収容状態と、２つの側壁が展開された展開状態とに変形可能である。製品は、収容状態の包装材の底壁と、２つの側壁とにより支持された状態で搬送される。
【先行技術文献】
【特許文献】
【０００３】
【特許文献１】特開平８−１７５５８２号公報
【発明の概要】
【発明が解決しようとする課題】
【０００４】
ところで、上記の包装材では、包装材によって覆われていない方向からの外力が製品に加わると、その製品において包装材に覆われていない部分に大きな衝撃が加わるおそれがある。
【０００５】
本発明の目的は、収容している製品に大きな衝撃が加わりにくい包装材、梱包材、梱包材の搬送方法、および、梱包物を提供することである。
【課題を解決するための手段】
【０００６】
（１）上記課題を解決する包装材は、製品が載せられる底壁と、前記底壁に繋がる複数の壁を有し前記底壁の周囲に配置される周壁とを備え、前記周壁と前記底壁とにより前記製品を収容する収容空間を形成する収容状態と、前記周壁が展開された状態である展開状態とに変形可能な包装材であって、前記周壁は、前記収容状態において前記収容空間を介して対向する一対の主壁と、前記収容状態において前記一対の主壁の間に位置する少なくとも１つの保護壁とを有し、前記一対の主壁の少なくとも一方は、前記収容状態において前記保護壁と面接触する主壁側部を有する。
【０００７】
この包装材によれば、保護壁を備えるため、製品の周囲のうちの包装材によって囲まれていない範囲をより狭くでき、収容している製品に大きな衝撃が加わりにくい。また、主壁側部と保護壁とは面接触しているため、収容状態において、主壁と保護壁との配置関係がずれにくく、その配置関係が維持されやすい。すなわち、製品を包装しているときの包装材の包装形態、換言すれば、包装材の収容状態における形態が維持されやすい。このため、強い衝撃等で主壁と保護壁との配置関係がずれることに起因して、製品に応力が加わることが抑制され、製品が適切に保護されるようになる。
【０００８】
（２）上記包装材において、前記一対の主壁の少なくとも一方は、前記主壁側部に加えて、前記収容状態において前記底壁と面接触する主壁底部を有することが好ましい。この包装材によれば、主壁底部と底壁とが面接触しているため、収容状態において、主壁と底壁との配置関係がずれにくく、その配置関係が維持されやすい。すなわち、製品を包装しているときの包装材の包装形態が維持されやすい。
【０００９】
（３）上記包装材において、前記保護壁は、前記収容状態において前記底壁と面接触する保護底部を有することが好ましい。
この構成および上記構成を含めた構成によれば、主壁の主壁底部と底壁とが面接触し、主壁の主壁側部と保護壁とが面接触し、保護壁の保護底部と底壁とが面接触しているため、収容状態において、主壁と底壁と、保護壁との配置関係が維持され、この配置関係が解除されにくく、製品を包装しているときの包装材の包装形態が維持されやすい。このため、強い衝撃等で主壁と保護壁との配置関係がずれることに起因して、製品に過大な荷重が加わることが抑制される。
【００１０】
（４）上記包装材において、前記周壁は、前記保護壁としての第１の保護壁に加えて、前記収容状態において前記収容空間を介して前記第１の保護壁と対向する第２の保護壁をさらに備え、前記一対の主壁の少なくとも一方は、前記主壁側部としての第１の主壁側部に加えて、前記収容状態において前記第２の保護壁と面接触する第２の主壁側部を有することが好ましい。
【００１１】
この包装材によれば、第２の保護壁を備えるため、製品の周囲のより広い範囲が周壁により囲まれた状態となる。このため、製品の周囲のうちの包装材によって囲まれていない範囲をより狭くでき、収容している製品に大きな衝撃が加わりにくい。また、第２の主壁側部と第２の保護壁とは面接触しているため、収容状態において主壁と第２の保護壁との配置関係がずれにくく、その配置関係が維持されやすい。すなわち、製品を包装しているときの包装材の包装形態が維持されやすい。
【００１２】
（５）上記包装材において前記底壁および前記周壁の少なくとも一方は、前記収容状態において空気が通過する通路を形成する空気通路形成構造を有することが好ましい。
収容状態の包装材を例えば、外箱に挿入するとき、包装材の底壁と外箱とにより封鎖空間が構成される。このため、収容状態の包装材を外箱に円滑に押し込めるには、封鎖空間内の空気が外部に適切に排出されることが好ましい。この点、この包装材によれば、包装材が外箱に押し込められると、封鎖空間内の空気が、上記通路を通って外部に排出される。このため、包装材を外箱の内面に沿って収容しやすい。
【００１３】
（６）上記包装材において、前記主壁の少なくとも一方は、前記収容状態において前記製品と接触する保持リブを備えることが好ましい。この包装材によれば、収容状態において、製品と保持リブとが接触することにより、製品が保持リブにより保持される。このため、製品が固定されず包装材内で揺れ動くことが抑制される。
【００１４】
（７）上記包装材において、前記周壁および前記底壁の少なくとも一方と繋がり、前記収容状態において前記収容空間を複数の空間に区切る仕切壁をさらに備えることが好ましい。この包装材によれば、仕切壁により収容空間が複数の空間に区切られるため、収容空間に複数の製品を配置しやすい。
【００１５】
（８）上記包装材において、前記仕切壁は、前記一対の主壁の少なくとも一方から前記収容空間側に突出する主壁突出部を有し、前記主壁突出部は、前記製品と接触可能な接触面を有することが好ましい。この包装材によれば、仕切壁の主壁突出部と製品とが接触することにより、製品が主壁突出部により保持される。このため、製品が包装材内で揺れ動くことが抑制される。
【００１６】
（９）上記包装材において、前記底壁および前記周壁は、シート材により構成され、一方の面の凸形状と他方の面の凹形状とが対応関係にあることが好ましい。
この包装材によれば、一方の面の凸形状と他方の面の凹形状とが対応関係にない場合に比べて、複数の包装材を展開して重ね合わせたときの包装材間の隙間が小さくなる。このため、包装材が重ね合わせ方向に嵩張りにくく、包装材自体の搬送効率を高めることができる。
【００１７】
（１０）上記課題を解決する梱包材は、上記に記載の包装材と、前記収容状態の前記包装材を収容可能である外箱とを備える梱包材であって、前記製品を保持している力が５Ｎ以上かつ２０Ｎ以下である。
【００１８】
包装材は、外箱に収容された状態で製品を保持している力が５Ｎ以上の場合、梱包材の搬送中に製品が包装材内で揺れ動くことが抑制される。また、包装材は、外箱に収容された状態で製品を保持している力が２０Ｎ以下の場合、作業者が製品を梱包材から取り出しやすい。なお、梱包材の製品を保持している力は、例えば、プルゲージと接続された製品を包装材から取り出したときに、プルゲージにより測定された荷重から製品の荷重を減算した値として規定される。
【００１９】
（１１）上記梱包材において、前記外箱は、前記包装材を収容する収容状態と、折り畳まれた状態である折畳状態とに変形可能であることが好ましい。この梱包材によれば、外箱を折畳状態で重ね合わせることにより、折り畳まないで積み上げる場合に比べて全体の容積を小さくできる。これにより、搬送車における積載効率の向上に寄与する。
【００２０】
（１２）上記課題を解決する梱包材の搬送方法は、上記の梱包材のうちの包装材を展開状態で重ね合わせる。この梱包材の搬送方法によれば、包装材を展開状態で重ね合わせることにより、展開しないで積み上げる場合に比べて全体の容積を小さくできる。これにより、搬送車における積載効率の向上に寄与する。
【００２１】
（１３）上記課題を解決する梱包材の搬送方法は、上記の梱包材を搬送する梱包材の搬送方法であって、複数の前記外箱を折畳状態で重ね合わせ、複数の前記包装材を展開状態で重ね合わせる。
【００２２】
この梱包材の搬送方法によれば、外箱を折畳状態で重ね合わせ、かつ、包装材を展開状態で重ね合わせることにより、これらを折畳状態または展開状態以外の状態で積み上げる場合に比べて全体の容積を小さくできる。これにより、梱包材を搬送する搬送車において積載量を増大させることが可能になる。
【００２３】
（１４）上記課題を解決する梱包物は、上記に記載の梱包材と、前記収容状態の前記包装材に収容されている前記製品とを備える。この梱包物によれば、包装材の包装形態が維持されるため、製品が、搬送期間にわたって適切に保護される。このため、包装形態が崩れることに過度の注意を要せず、梱包物の搬送作業を容易に行うことができる。
【発明の効果】
【００２４】
上記包装材、梱包材、梱包材の搬送方法、および、梱包物によれば、収容している製品に大きな衝撃が加わることを抑制することができる。
【図面の簡単な説明】
【００２５】
【図１】実施形態の梱包物の分解斜視図。
【図２】包装材の表面側の斜視図。
【図３】第１の主壁の平面図。
【図４】図２のＤ４−Ｄ４線に沿う断面図。
【図５】包装材の裏面側の斜視図。
【図６】収容状態の包装材の平面図。
【図７】収容状態の包装材が外箱の収容部に収容されたものの斜視図。
【図８】梱包物の斜視図。
【図９】展開状態の複数の包装材が重ね合わせられたものの側面図。
【図１０】折畳状態の複数の外箱の収容部が重ね合わせられたものの側面図。
【発明を実施するための形態】
【００２６】
（実施形態）
図１を参照して、梱包材１０の一例を説明する。図１は、製品４００を梱包材１０で梱包した梱包物１の分解斜視図である。なお、梱包材１０の説明では、製品４００を梱包材１０に収容するときの梱包材１０の姿勢を基準とし、この基準の姿勢において上側にあたる部分を、梱包材１０における上側とし、その反対側を下側とする（図１参照）。また、「長手方向」とは、底壁の基礎部（後述参照）における長手方向と一致する方向を示し、「短手方向」とは、底壁の基礎部（後述参照）における短手方向と一致する方向を示す。
【００２７】
梱包材１０は、外箱２０と、外箱２０内に配置される包装材３０とを備える。包装材３０は、３つの製品４００を収容し得る。例えば、製品４００は、カーナビゲーション装置等の電子機器４１０と、電子機器４１０を収容する外装材４２０とを有する。外装材４２０は、例えば、金属製あるいは樹脂製の筐体である。
【００２８】
外箱２０は、包装材３０を収容する収容部２１と、収容部２１に取り付けられる蓋２２とを有する。
収容部２１は、包装材３０を収容する収容状態（図１および後述参照）と、折り畳まれた状態である折畳状態（図１０参照）とに変形可能である。
【００２９】
収容部２１は、底壁２１Ａと、底壁２１Ａと繋がる４つの側壁２１Ｂを有する。４つの側壁２１Ｂは、底壁２１Ａに対して回転可能に取り付けられている。収容部２１の収容状態は、底壁２１Ａに対して４つの側壁２１Ｂが立ち上がり、隣合う側壁２１Ｂの端部が連結されている状態を示す。収容部２１の折畳状態は、４つの側壁２１Ｂが内側に畳まれ、４つの側壁２１Ｂが底壁２１Ａに重ねられている状態を示す。
【００３０】
包装材３０を構成する材料の一例は、熱可塑性樹脂であり、熱可塑性樹脂の一例としては、ポリプロピレンが挙げられる。また、好ましくは、包装材３０は、発泡シートにより成形される。すなわち、包装材３０は、発泡シート成形体として構成され得る。発泡シート成形体として構成される包装材３０は、一方の面（収容空間３０Ａ側の面）の凸形状と他方の面（収容空間３０Ａ側とは反対側の面）の凹形状（図５参照）とが対応関係にある。この構造により、対応関係にある凸形状と凹形状とを一致させるようにして複数の包装材３０を重ねることができる。このため、一方の面の凸形状と他方の面の凹形状とが対応関係にない場合に比べて、複数の包装材３０を展開して重ね合わせたときの包装材３０間の隙間が小さくなり、嵩が抑制される。
【００３１】
包装材３０は、製品４００が載せられる底壁４０と、底壁４０に繋がる複数の壁（後述の主壁および保護壁）を有し底壁４０の周囲に配置される周壁５０とを備える。包装材３０は、製品４００を収容する収容空間３０Ａを形成する収容状態（図１および後述参照）と、周壁５０が展開された展開状態（図２および図５参照）とに変形可能である。収容状態とは、底壁４０に繋がる各壁（後述の、第１の主壁６０、第２の主壁７０、第１の保護壁８０、および、第２の保護壁９０）が底壁４０から立ち上がるように配置された状態を示す。展開状態とは、底壁４０に繋がる各壁（後述の、第１の主壁６０、第２の主壁７０、第１の保護壁８０、および、第２の保護壁９０）が、互いに離れるように展開された状態を示す。包装材３０の収容状態において収容空間３０Ａは、周壁５０に繋がる２つの仕切壁１１０、１２０により、製品４００が収容される３つの空間、すなわち、第１の空間３１と、第２の空間３２と、第３の空間３３とに区分される。
【００３２】
図２〜図５を参照して、包装材３０の詳細な構成について説明する。
図２に示されるように、底壁４０は、長方形状の基礎部４１と、基礎部４１の外縁に沿って全周にわたり形成されている側面支持部４３と、側面支持部４３の外縁に沿って全周にわたり形成されている底壁外縁部４４とを有する。
【００３３】
基礎部４１は、３つの基礎底部４１Ａ、基礎底部４１Ａと繋がり基礎底部４１Ａの周囲に設けられる底面支持部４２とを有する。
３つの基礎底部４１Ａは、第１の空間３１、第２の空間３２、および、第３の空間３３のそれぞれに対応するように配置される。
【００３４】
底面支持部４２は、基礎底部４１Ａから上側に突出し、製品４００の底面を支持する。底面支持部４２の周囲には、製品４００の下部を囲む壁４２Ｂが設けられている。
側面支持部４３は、周壁５０の各壁（後述の主壁６０、７０および保護壁８０、９０）を支持する。側面支持部４３は、包装材３０の収容状態において、周壁５０の各壁の底部と面接触できるように、展開状態の包装材３０の高さ方向の上側に向かうにつれて、内側（基礎部４１側）に傾斜している。側面支持部４３の上面４３Ｅの位置は、底面支持部４２の上面４２Ａの位置よりも高い。具体的には、側面支持部４３は、基礎部４１に対して第１の主壁６０側に配置される第１の側面支持部４３Ａと、基礎部４１に対して第２の主壁７０側に配置される第２の側面支持部４３Ｂと、基礎部４１に対して第１の保護壁８０側に配置される第３の側面支持部４３Ｃと、基礎部４１に対して第２の保護壁９０側に配置される第４の側面支持部４３Ｄとを有する。各側面支持部４３Ａ〜４３Ｄは、上側に向かうにつれて内側（基礎部４１側）に傾斜している。
【００３５】
底壁外縁部４４は、周壁５０の各壁と繋がっている。底壁外縁部４４には、空気通路形成構造が設けられている。空気通路とは、収容状態の包装材３０を外箱に収容するときに構成される、包装材３０と外箱２０との間の空間の空気を、外部に導くための空気の通路を示す。空気通路形成構造とは、その空気通路を形成するための構造である。空気通路形成構造によれば、包装材３０を外箱２０に円滑に挿入することが可能である。具体的には、底壁外縁部４４の４隅に空気通路形成構造の一例としての切り欠き４４Ａが形成されている。切り欠き４４Ａは、例えば、直角の角を切り欠いたＲ部または直角の角を切り欠いた面取り部として構成される。底壁外縁部４４の４隅に形成された切り欠き４４Ａは、収容空間３０Ａと包装材３０の外部（例えば、後述の封鎖空間）とを連通させる。
【００３６】
次に、周壁５０について説明する。
周壁５０は、包装材３０の収容状態（図１参照）において収容空間３０Ａを介して対向する一対の主壁６０、７０と、包装材３０の収容状態において一対の主壁６０、７０の間に位置する一対の保護壁８０、９０とを備える。以下では、一対の主壁６０、７０のうち一方を、「第１の主壁６０」といい、他方を、「第２の主壁７０」という。また、一対の保護壁８０、９０のうち一方を、「第１の保護壁８０」といい、他方を、「第２の保護壁９０」という。
【００３７】
第１の主壁６０は、包装材３０の収容状態において収容空間３０Ａを形成する空間形成部６１と、空間形成部６１の外縁に沿う形状である第１の主壁外縁部６２とを有する。空間形成部６１は、基礎部４１の長手方向に沿って延びる。
【００３８】
空間形成部６１は、長手方向の一方の側部に形成された第１の主壁側部６１Ａと、長手方向の他方の側部に形成された第２の主壁側部６１Ｂと、底部に形成された主壁底部６１Ｃと、上部を構成する主壁上部６１Ｄ（図５参照）と、収容状態で第２の主壁７０に対向する主面部６１Ｅとを有する。
【００３９】
第１の主壁側部６１Ａは、包装材３０の収容状態において、第１の保護壁８０と面接触する形状である。第１の主壁側部６１Ａは、展開状態の包装材３０において、上側に向かうにつれて第２の主壁側部６１Ｂに向けて傾斜している。第１の主壁側部６１Ａの端部（第１の保護壁８０側の端部）は、包装材３０の収容状態における平面視（図６参照）で短手方向外側に向かうにつれて長手方向の中心側に向かうように湾曲している。
【００４０】
第２の主壁側部６１Ｂは、包装材３０の収容状態において、第２の保護壁９０と面接触する形状である。第２の主壁側部６１Ｂは、展開状態の包装材３０において、上側に向かうにつれて第１の主壁側部６１Ａに向けて傾斜している。第２の主壁側部６１Ｂの端部（第２の保護壁９０側の端部）は、包装材３０の収容状態における平面視（図６参照）で短手方向外側に向かうにつれて長手方向の中心側に向かうように湾曲している。
【００４１】
主壁底部６１Ｃは、包装材３０の収容状態において、底壁４０の第１の側面支持部４３Ａと面接触する形状である。主壁底部６１Ｃは、展開状態の包装材３０において、上側に向かうにつれて主壁上部６１Ｄに向けて傾斜している。
【００４２】
主壁上部６１Ｄは、展開状態の包装材３０において、上側に向かうにつれて主壁底部６１Ｃに向けて傾斜している。
第１の主壁外縁部６２は、空間形成部６１の外縁の全周にわたり形成されている。第１の主壁外縁部６２において主壁底部６１Ｃに沿う部分は、底壁４０の底壁外縁部４４のうちの第１の側面支持部４３Ａに沿う部分とヒンジ部６２Ａを介して繋がっている。すなわち、第１の主壁６０は、ヒンジ部６２Ａを介して底壁４０に対して折り曲げ可能である。
【００４３】
主面部６１Ｅは、製品４００の側面を支持する。主面部６１Ｅは、第１の主壁側部６１Ａと、第２の主壁側部６１Ｂと、主壁底部６１Ｃと、主壁上部６１Ｄとに囲まれている。主面部６１Ｅは、包装材３０の収容状態において、第１の空間３１側に突出する一対の段部６４Ａ、６４Ｂと、第２の空間３２側に突出する一対の段部６４Ｃ、６４Ｄと、第３の空間３３側に突出する一対の段部６４Ｅ、６４Ｆと、主壁突出部１１１、１２１（以下、「第１の主壁突出部１１１」、「第２の主壁突出部１２１」という。）とを有する。
【００４４】
また、第１の主壁６０は、包装材３０の収容状態において製品４００と接触する６つの保持リブ６３Ａ〜６３Ｆを有する。具体的には、保持リブ６３Ａ〜６３Ｆのそれぞれは、上述の各段部６４Ａ〜６４Ｆに設けられている。
【００４５】
図２および図３に示されるように、６つの保持リブ６３Ａ〜６３Ｆは、展開状態の包装材３０において、空間形成部６１から上側に突出している。すなわち、６つの保持リブ６３Ａ〜６３Ｆは、収容状態の包装材３０において、収容空間３０Ａ側に突出する。６つの保持リブ６３Ａ〜６３Ｆは、空間形成部６１のうちの第１の空間３１と第２の空間３２と第３の空間３３とに対応する位置に２つずつ形成されている。保持リブ６３Ａおよび保持リブ６３Ｂは、包装材３０の収容状態において、第１の空間３１と面する。保持リブ６３Ｃおよび保持リブ６３Ｄは、包装材３０の収容状態において、第２の空間３２と面する。保持リブ６３Ｅおよび保持リブ６３Ｆは、包装材３０の収容状態において、第３の空間３３と面する。
【００４６】
図３に示されるように、６つの保持リブ６３Ａ〜６３Ｆの空間形成部６１の表面から突出している寸法である突出寸法ＬＡ〜突出寸法ＬＦは、互いに等しい。
図２に示されるように、第２の主壁７０は、空間形成部７１と、第２の主壁外縁部７２と、保持リブ７３Ａ〜保持リブ７３Ｆとを有する。空間形成部７１は、第１の主壁側部７１Ａと、第２の主壁側部７１Ｂと、主壁底部７１Ｃと、主壁上部７１Ｄと、主面部７１Ｅと、保持リブ７３Ａ〜保持リブ７３Ｆとを有する。主面部７１Ｅは、段部７４Ａ〜７４Ｆを有する。第２の主壁７０は、ヒンジ部７２Ａを介して底壁４０に繋がっている。第２の主壁７０の各構成要素は、第１の主壁６０の対応する各構成要素と同一の構造であるため、その説明を省略する。
【００４７】
次に、第１の保護壁８０について説明する。
第１の保護壁８０は、基礎部４１の短手方向に沿って延び、包装材３０の収容状態において、収容空間３０Ａを形成する空間形成部８１と、空間形成部８１の外縁に沿う形状である第１の保護外縁部８２とを有する。
【００４８】
空間形成部８１は、短手方向の一方の側部に形成された第１の保護側部８１Ａと、短手方向の他方の側部に形成された第２の保護側部８１Ｂと、底部に形成された保護底部８１Ｃと、上部を構成する保護上部８１Ｄと、収容状態で第２の保護壁９０に対向する主面部８１Ｅとを有する。
【００４９】
第１の保護側部８１Ａは、包装材３０の収容状態において、第１の主壁６０の第１の主壁側部６１Ａと面接触する形状である。第１の保護側部８１Ａは、展開状態の包装材３０の上側に向かうにつれて第２の保護側部８１Ｂに向けて傾斜している。第１の保護側部８１Ａの端部（第１の主壁６０側の端部）は、包装材３０の収容状態における平面視で（図６参照）長手方向外側に向かうにつれて短手方向の中心側に向かうように湾曲している。このため、第１の保護側部８１Ａの端部は、包装材３０の収容状態において、第１の主壁側部６１Ａの端部との間に隙間２１０（図６参照）が形成される。なお、第１の主壁側部６１Ａの端部の湾曲形状と、第１の保護側部８１Ａの端部の湾曲形状とは空気通路形成構造の一例である。
【００５０】
第２の保護側部８１Ｂは、包装材３０の収容状態において、第２の主壁７０の第１の主壁側部７１Ａと面接触する形状である。第２の保護側部８１Ｂは、展開状態の包装材３０の上側に向かうにつれて第１の保護側部８１Ａに向けて傾斜している。第２の保護側部８１Ｂの端部（第２の主壁７０側の端部）は、包装材３０の収容状態における平面視で（図６参照）長手方向外側に向かうにつれて短手方向の中心側に向かうように湾曲している。このため、第２の保護側部８１Ｂの端部は、包装材３０の収容状態において、第１の主壁側部７１Ａの端部との間に隙間２２０（図６参照）が形成される。なお、第１の主壁側部７１Ａの端部の湾曲形状と、第２の保護側部８１Ｂの端部の湾曲形状とは空気通路形成構造の一例である。
【００５１】
保護底部８１Ｃは、包装材３０の収容状態において、底壁４０の第３の側面支持部４３Ｃと面接触する形状である。保護底部８１Ｃは、展開状態の包装材３０の上側に向かうにつれて保護上部８１Ｄ側に向けて傾斜している。
【００５２】
保護上部８１Ｄは、展開状態の包装材３０において、上側に向かうにつれて保護底部８１Ｃに向けて傾斜している。
主面部８１Ｅは、３つの製品４００のうち長手方向外端に配置された製品４００の外側の側面を支持する。主面部８１Ｅは、第１の保護側部８１Ａと、第２の保護側部８１Ｂと、保護底部８１Ｃと、保護上部８１Ｄとに囲まれている。
【００５３】
また、第１の保護壁８０は、包装材３０の収容状態において製品４００と接触する２つの保持リブ８３を有する。具体的には、２つの保持リブ８３は上述の主面部８１Ｅに、収容状態において収容空間３０Ａ側に突出するように設けられている。
【００５４】
第１の保護外縁部８２は、空間形成部８１の外縁の全周にわたり形成されている。第１の保護外縁部８２において保護底部８１Ｃに沿う部分は、底壁４０の底壁外縁部４４のうちの第３の側面支持部４３Ｃに沿う部分とヒンジ部８２Ａを介して繋がっている。すなわち、第１の保護外縁部８２は、ヒンジ部８２Ａを介して底壁４０に対して折り曲げ可能である。
【００５５】
第２の保護壁９０について説明する。
第２の保護壁９０は、空間形成部９１と、第２の保護外縁部９２とを有する。第２の保護壁９０は、さらに保持リブ９３を有し、保持リブ９３は、空間形成部９１に設けられている。空間形成部９１は、第１の保護側部９１Ａと、第２の保護側部９１Ｂと、保護底部９１Ｃと、保護上部９１Ｄと、主面部９１Ｅを有する。第２の保護壁９０は、ヒンジ部９２Ａを介して底壁４０に繋がっている。
【００５６】
第１の保護側部９１Ａの端部（第１の主壁６０側の端部）は、包装材３０の収容状態における平面視で（図６参照）長手方向外側に向かうにつれて短手方向の中心側に向かうように湾曲している。このため、第１の保護側部９１Ａの端部は、包装材３０の収容状態において、第２の主壁側部６１Ｂの端部との間に隙間２３０（図６参照）が形成される。なお、第２の主壁側部６１Ｂの端部の湾曲形状と、第１の保護側部９１Ａの端部の湾曲形状とは空気通路形成構造の一例である。
【００５７】
第２の保護側部９１Ｂの端部（第２の主壁７０側の端部）は、包装材３０の収容状態における平面視で（図６参照）長手方向外側に向かうにつれて短手方向の中心側に向かうように湾曲している。このため、第２の保護側部９１Ｂの端部は、包装材３０の収容状態において、第２の主壁側部７１Ｂの端部との間に隙間２４０（図６参照）が形成される。なお、第２の主壁側部７１Ｂの端部の湾曲形状と、第２の保護側部９１Ｂの端部の湾曲形状とは空気通路形成構造の一例である。
【００５８】
第２の保護壁９０の各構成要素は、第１の保護壁８０の対応する各構成要素に準ずるため、その説明を省略する。
次に、収容空間３０Ａを仕切る２つの仕切壁１１０、１２０について説明する。
【００５９】
図２および図４に示されるように、第１の仕切壁１１０は、第１の主壁６０と繋がる第１の主壁突出部１１１と、第２の主壁７０と繋がる第２の主壁突出部１１２と、底壁４０と繋がる底壁突出部１１３とを有する。第１の仕切壁１１０は、収容状態の包装材３０の収容空間３０Ａに構成される第１の空間３１と第２の空間３２との間を仕切る。
【００６０】
図２に示されるように、第１の主壁突出部１１１は、第１の主壁６０の空間形成部６１のうちの保持リブ６３Ｂと保持リブ６３Ｃとの間から展開状態における包装材３０の上側、すなわち、収容状態において収容空間３０Ａ側に突出している。第１の主壁突出部１１１は、包装材３０の収容状態において、製品４００と接触する一対の接触面１１１Ａ、１１１Ｂを有する。
【００６１】
接触面１１１Ａは、第１の空間３１に収容されている製品４００が、第２の空間３２に移動することを規制する。接触面１１１Ｂは、第２の空間３２に収容されている製品４００が、第１の空間３１に移動することを規制する。
【００６２】
第２の主壁突出部１１２は、第２の主壁７０の空間形成部７１のうちの保持リブ７３Ｂと保持リブ７３Ｃとの間から展開状態における包装材３０の上側、すなわち、収容状態における収容空間３０Ａ側に突出している。第２の主壁突出部１１２は、包装材３０の収容状態において、製品４００と接触する一対の接触面１１２Ａ、１１２Ｂを有する。
【００６３】
接触面１１２Ａは、第１の空間３１に収容されている製品４００が、第２の空間３２に移動することを規制する。接触面１１２Ｂは、第２の空間３２に収容されている製品４００が、第１の空間３１に移動することを規制する。
【００６４】
底壁突出部１１３は、底壁４０の基礎部４１に設けられ、第１の空間３１と第２の空間３２との間を仕切るように収容状態における収容空間３０Ａ側に突出する。底壁突出部１１３の上部は、包装材３０の収容状態において、第１の主壁突出部１１１の下側に配置され、かつ、第２の主壁突出部１１２の下側に配置される。底壁突出部１１３は、包装材３０の収容状態において、製品４００と接触する一対の接触面１１３Ａ、１１３Ｂを有する。接触面１１３Ａは、第１の空間３１に収容されている製品４００が、第２の空間３２に移動することを規制する。接触面１１３Ｂは、第２の空間３２に収容されている製品４００が、第１の空間３１に移動することを規制する。
【００６５】
第２の仕切壁１２０は、第１の主壁６０と繋がる第１の主壁突出部１２１と、第２の主壁７０と繋がる第２の主壁突出部１２２と、底壁４０と繋がる底壁突出部１２３とを有する。第２の仕切壁１２０は、収容状態の包装材３０の収容空間３０Ａに構成される第２の空間３２と第３の空間３３との間を仕切る。
【００６６】
第１の主壁突出部１２１は、第１の主壁６０の空間形成部６１のうちの保持リブ６３Ｄと保持リブ６３Ｅとの間から展開状態における包装材３０の上側、すなわち、収容状態において収容空間３０Ａ側に突出している。第１の主壁突出部１２１は、包装材３０の収容状態において、製品４００と接触する一対の接触面１２１Ａ、１２１Ｂを有する。
【００６７】
接触面１２１Ａは、第２の空間３２に収容されている製品４００が、第３の空間３３に移動することを規制する。接触面１２１Ｂは、第３の空間３３に収容されている製品４００が、第２の空間３２に移動することを規制する。
【００６８】
第２の主壁突出部１２２は、第２の主壁７０の空間形成部７１のうちの保持リブ７３Ｄと保持リブ７３Ｅとの間から展開状態における包装材３０の上側、すなわち、収容状態における収容空間３０Ａ側に突出している。第２の主壁突出部１２２は、包装材３０の収容状態において、製品４００と接触する一対の接触面１２２Ａ、１２２Ｂを有する。
【００６９】
接触面１２２Ａは、第２の空間３２に収容されている製品４００が、第３の空間３３に移動することを規制する。接触面１２２Ｂは、包装材３０の収容状態において、第３の空間３３に収容されている製品４００が、第２の空間３２に移動することを規制する。
【００７０】
底壁突出部１２３は、底壁４０の基礎部４１に設けられ、第２の空間３２と第３の空間３３との間を仕切るように収容状態における収容空間３０Ａ側に突出する。底壁突出部１２３の上部は、包装材３０の収容状態において、第１の主壁突出部１２１の下側に配置され、かつ第２の主壁突出部１２２の下側に配置される。底壁突出部１２３は、包装材３０の収容状態において、製品４００と接触する一対の接触面１２３Ａ、１２３Ｂを有する。接触面１２３Ａは、第２の空間３２に収容されている製品４００が、第３の空間３３に移動することを規制する。接触面１２３Ｂは、第３の空間３３に収容されている製品４００が、第２の空間３２に移動することを規制する。
【００７１】
次に、梱包材１０における製品４００の保持力について説明する。
梱包材１０における製品４００を保持する力である保持力は、５Ｎ以上かつ２０Ｎ以下の範囲に含まれることが好ましく、１０Ｎ以上１５Ｎ以下の範囲に含まれることがより好ましい。梱包材１０の保持力は、例えば、プルゲージと接続される製品４００を包装材３０から取り出すときに、プルゲージにより測定される荷重から製品４００の荷重を減算した値として規定される。このような保持力は、第１の主壁６０の保持リブ６３Ａ〜６３Ｆ、第２の主壁７０の保持リブ７３Ａ〜保持リブ７３Ｆ、第１の保護壁８０の２つの保持リブ８３、第２の保護壁９０の保持リブ９３等の寸法により、調整され得る。
【００７２】
包装材３０の作用および効果について説明する。
包装材３０は、一対の主壁６０、７０に加えて、第１の保護壁８０を備えるため、収容状態において、製品４００の周囲のより広い範囲が周壁５０により囲まれる。このため、製品４００の周囲のうちの包装材３０によって囲まれていない範囲をより狭くでき、梱包物１が搬送されているときに、収容している製品４００に大きな衝撃が加わりにくい。
【００７３】
また、第１の主壁側部６１Ａと第１の保護側部８１Ａとは面接触しているため、収容状態において、第１の主壁６０と第１の保護壁８０との配置関係がずれにくい。このため、製品４００の周囲のより広い範囲が周壁５０により囲まれている状態が維持されやすい。また、製品４００を包装しているときの包装材３０の包装形態、すなわち、包装材３０の収容状態における形態が維持されやすい。このため、強い衝撃等で第１の主壁６０と第１の保護壁８０との配置関係がずれることに起因して、製品４００に応力が加わることが抑制される。これにより、製品４００が適切に保護される。
【００７４】
包装材３０は、さらに、次の作用および効果を有する。すなわち、収容状態にある包装材３０では、少なくとも、第１の主壁６０の主壁底部６１Ｃと底壁４０の第１の側面支持部４３Ａとが面接触し、第１の主壁６０の第１の主壁側部６１Ａと第１の保護壁８０の第１の保護側部８１Ａとが面接触し、第１の保護壁８０の保護底部８１Ｃと底壁４０の第３の側面支持部４３Ｃとが面接触する。このため、第１の主壁６０と、底壁４０と、第１の保護壁８０との３つの壁が互いに押し合うようになる。これにより、第１の主壁６０が、底壁４０および第１の保護壁８０に対して位置ずれしないようになり、また、底壁４０が、第１の主壁６０および第１の保護壁８０に対して位置ずれしないようになり、かつ、第１の保護壁８０が、第１の主壁６０および底壁４０に対して位置ずれしないようになる。これにより、第１の主壁６０および第１の保護壁８０が、収容状態において、一対の主壁６０、７０の対向方向（短手方向）と一対の保護壁８０、９０の対向方向（長手方向）との両方向に、所定配置からのずれが生じにくくなる。これにより次の効果を奏する。すなわち、第１の主壁６０および第１の保護壁８０が、収容状態において、一対の主壁６０、７０の対向方向と一対の保護壁８０、９０の対向方向のいずれかの方向に自由に移動可能であるとすると、第１の主壁６０、第１の保護壁８０、および、底壁４０により包装されている製品４００に捩れの応力が加わり得る。この点、上記構成によれば、第１の主壁６０および第１の保護壁８０の配置関係について、一対の主壁６０、７０の対向方向と一対の保護壁８０、９０の対向方向の両方向において所定配置からのずれが抑制されるようになり、包装材の包装形態が維持される。これにより、製品４００に加わり得る捩れ応力が緩和される。
【００７５】
梱包材１０によれば、さらに以下の効果が得られる。
（１）第２の保護壁９０を備えるため、製品４００の周囲のより広い範囲が周壁５０により囲まれた状態となる。このため、製品４００の周囲のうちの包装材３０によって囲まれていない範囲をより狭くできる。このため、収容している製品４００に大きな衝撃が加わりにくい。また、第２の主壁側部６１Ｂと第２の保護壁９０とは面接触しているため、収容状態において第１の主壁６０と第２の保護壁９０との配置関係がずれにくく、その配置関係が維持されやすい。すなわち、製品４００を包装しているときの包装材３０の包装形態が維持されやすい。
【００７６】
（２）収容状態において、製品４００と、保持リブ６３Ａ〜６３Ｆ、および、保持リブ７３Ａ〜７３Ｆとが接触することにより、製品４００が保持リブ６３Ａ〜６３Ｆ、および、保持リブ７３Ａ〜７３Ｆにより保持される。このため、製品４００が固定されずに包装材３０内で揺れ動くことが抑制される。
【００７７】
（３）第１の仕切壁１１０および第２の仕切壁１２０により収容空間３０Ａが複数の空間に区切られるため、収容空間３０Ａに複数の製品４００を配置しやすい。
（４）第１の仕切壁１１０の主壁突出部１１１、１１２、および、第２の仕切壁１２０の主壁突出部１２１、１２２の少なくとも一方と製品４００とが接触することにより、製品４００が主壁突出部１１１、１１２、および、第２の仕切壁１２０の主壁突出部１２１、１２２の少なくとも一方により移動が規制される。このため、製品４００が包装材３０内で揺れ動くことが抑制される。
【００７８】
（５）包装材３０は、外箱２０に収容された状態で製品４００の保持力が５Ｎ以上であるため、梱包材１０の搬送中に製品４００が包装材３０内で揺れ動くことが抑制される。
（６）包装材３０は、外箱２０に収容された状態の製品４００の保持力が２０Ｎ以下であるため、ユーザーが製品４００を包装材３０から取り出しやすい。
【００７９】
（７）底壁４０の底面支持部４２は、基礎底部４１Ａから上側に突出しているため、製品４００が底面支持部４２により支持されたとき、製品４００の底面と基礎底部４１Ａとの間に隙間が形成される。このため、例えば、梱包物１が搬送されているときに、作業者が梱包物１を誤って落とした場合であっても、製品４００に作用する上下方向の衝撃が緩和される。
【００８０】
＜梱包物の梱包方法＞
次に、図６〜図８を参照して、製品４００が梱包材１０により梱包された梱包物１の梱包方法、すなわち、梱包物１の製造方法について説明する。
【００８１】
梱包物１の梱包方法は、外箱準備工程と、包装材準備工程と、包装材収容工程と、製品収容工程と、蓋取付工程とを含む。
外箱準備工程においては、外箱２０、すなわち、収容部２１と蓋２２とが準備され、収容部２１が折畳状態から収容状態に変形される。
【００８２】
図６に示されるように、包装材準備工程においては、収容状態の包装材３０が準備される。収容状態の包装材３０は、角部に、上述した隙間２１０、隙間２２０、隙間２３０、および、隙間２４０が形成される。
【００８３】
図７に示されるように、包装材収容工程においては、収容状態の包装材３０の各壁が、収容状態の収容部２１の側壁２１Ｂに接するように収容部２１の内部に押し込められる。収容状態の包装材３０の下部を外箱２０の収容部２１に挿入すると、包装材３０の底壁４０と収容部２１とにより封鎖空間が構成される。包装材３０が収容部２１に押し込められると、封鎖空間内の空気が、底壁４０の切り欠き４４Ａと、隙間２１０、隙間２２０、隙間２３０、および、隙間２４０とを通って外部に排出される。このため、包装材３０を収容部２１の側壁２１Ｂの内面に沿って収容しやすい。
【００８４】
製品収容工程においては、収容部２１に収容されている包装材３０の第１の空間３１、第２の空間３２、および、第３の空間３３に製品４００が配置される。
図８に示されるように、蓋取付工程においては、収容部２１に蓋２２が取り付けられる。以上のように製造された梱包物１は、製造された工場からトラック等により目的地まで搬送された後、ユーザーにより製品４００が取り出される。
【００８５】
＜梱包材の搬送方法＞
図９および図１０を参照して、梱包材１０の搬送方法について説明する。
梱包材１０の搬送方法は、包装材搬送工程および外箱搬送工程を含む。包装材搬送工程および外箱搬送工程は、例えば、梱包物１が目的地まで搬送されてユーザーにより製品４００が取り出された後、梱包材１０を目的地から工場まで搬送する際に行われる工程である。包装材搬送工程と外箱搬送工程とはいずれが先に行われてもよく、または、包装材搬送工程と外箱搬送工程とが並行または同時に行われてもよい。
【００８６】
図９に示されるように、包装材搬送工程においては、包装材３０が展開される。そして、展開状態の複数の包装材３０が重ね合わせられる。このように、包装材搬送工程において、包装材３０を他の包装材３０と重ね合わせて搬送することにより、梱包材１０自体の搬送効率を高めることができる。すなわち、これらを展開しないで積み上げる場合に比べて全体の容積を小さくできるため、搬送車の積載効率の向上に寄与する。
【００８７】
図１０に示されるように、外箱搬送工程においては、収容部２１が折り畳まれる。そして、折畳状態の複数の収容部２１が重ね合わせられる。なお、蓋２２は収容部２１とは別に蓋２２どうしで重ね合わせられる。このように、外箱搬送工程において、外箱２０の収容部２１を他の外箱２０の収容部２１と重ね合わせて搬送することにより、梱包材１０自体の搬送効率を高めることができる。すなわち、これらを折り畳まないで積み上げる場合に比べて全体の容積を小さくできるため、搬送車の積載効率の向上に寄与する。
【００８８】
（変形例）
上記実施形態に関する説明は、本発明に従う包装材、梱包材、梱包材の搬送方法、および、梱包物が取り得る形態の例示であり、その形態を制限することを意図していない。本発明に従う包装材、梱包材、梱包材の搬送方法、および、梱包物は、例えば以下に示される上記実施形態の変形例、および、相互に矛盾しない少なくとも２つの変形例が組み合わせられた形態を取り得る。
【００８９】
・変形例の包装材３０によれば、第１の保護壁８０または第２の保護壁９０が省略される。
・変形例の包装材３０によれば、主壁底部６１Ｃおよび主壁底部７１Ｃの少なくとも一方が省略される。すなわち、この変形例の包装材３０によれば、第１の主壁６０および第２の主壁７０の少なくとも一方が、底壁４０の側面支持部４３と面接触しない。
【００９０】
・変形例の包装材３０によれば、第１の主壁側部６１Ａまたは第１の主壁側部７１Ａが省略される。すなわち、この変形性の包装材３０によれば、第１の主壁６０または第２の主壁７０と第１の保護壁８０とが面接触しない。
【００９１】
・変形例の包装材３０によれば、第２の主壁側部６１Ｂまたは第２の主壁側部７１Ｂが省略される。すなわち、この変形性の包装材３０によれば、第１の主壁６０または第２の主壁７０と第２の保護壁９０とが面接触しない。
【００９２】
・変形例の包装材３０によれば、保持リブ６３Ａ〜６３Ｆの突出寸法ＬＡ〜突出寸法ＬＦが異なる。
本願発明者が実施した試験によれば、保持リブ６３Ａ〜６３Ｆの突出寸法ＬＡ〜突出寸法ＬＦが互いに等しい場合、梱包材１０の保持力は、第１の主壁６０の長手方向の端部から中央に向かうにつれて低くなる傾向にあることが確認された。
【００９３】
変形例の包装材３０によれば、第１の主壁６０の中央部に配置されている、保持リブ６３Ｃの突出寸法ＬＣと保持リブ６３Ｄの突出寸法ＬＤとが等しい。また、第１の主壁６０の両端側に配置されている、保持リブ６３Ａの突出寸法ＬＡと、保持リブ６３Ｂの突出寸法ＬＢと、保持リブ６３Ｅの突出寸法ＬＥと、保持リブ６３Ｆの突出寸法ＬＦとが等しい。突出寸法ＬＣおよび突出寸法ＬＤは、突出寸法ＬＡ、突出寸法ＬＢ、突出寸法ＬＥ、および、突出寸法ＬＦよりも大きい。このように、第２の空間３２に対応する保持リブ６３Ｃの突出寸法ＬＣと保持リブ６３Ｄの突出寸法ＬＤとを他よりも大きくすることにより、保持力が高められ、第２の空間３２に配置された製品４００が第２の空間３２内で揺れ動くことを一層抑制することができる。
【００９４】
また、別の変形例の包装材３０によれば、保持リブ６３Ｃの突出寸法ＬＣと保持リブ６３Ｄの突出寸法ＬＤとが等しく、保持リブ６３Ｂの突出寸法ＬＢと保持リブ６３Ｅの突出寸法ＬＥとが等しく、保持リブ６３Ａの突出寸法ＬＡと保持リブ６３Ｆの突出寸法ＬＦとが等しい。突出寸法ＬＣおよび突出寸法ＬＤは、突出寸法ＬＢ、突出寸法ＬＥ、突出寸法ＬＡ、および、突出寸法ＬＦよりも大きい。突出寸法ＬＢおよび突出寸法ＬＥは、突出寸法ＬＡ、および、突出寸法ＬＦよりも大きい。なお、この変形例の保持リブ６３Ａ〜６３Ｆの突出寸法ＬＡ〜突出寸法ＬＦは、保持リブ７１Ａ〜７１Ｆの突出寸法についても同様に適用することができる。
【００９５】
・変形例の包装材３０は、第１の仕切壁１１０の第１の主壁突出部１１１、第２の主壁突出部１１２、および、底壁突出部１１３のうちの１つまたは２つが省略される。なお、第２の仕切壁１２０についても同様に省略することができる。
【００９６】
・変形例の包装材３０によれば、第１の仕切壁１１０および第２の仕切壁１２０の少なくとも一方が省略される。
・変形例の包装材３０によれば、１つ、２つ、または、４つ以上の製品４００を収容可能である。
【００９７】
・変形例の梱包物１によれば、製品４００は、カーナビゲーション装置以外の電子機器４１０である。電子機器４１０の一例は、オーディオ機器である。
【符号の説明】
【００９８】
１…梱包物、１０…梱包材、２０…外箱、３０…包装材、３０Ａ…収容空間、４０…底壁、４４Ａ…切り欠き（空気通路形成構造）、５０…周壁、６０…第１の主壁、６１Ａ…第１の主壁側部、６１Ｂ…第２の主壁側部、６１Ｃ…主壁底部、６３Ａ〜６３Ｆ…保持リブ、７０…第２の主壁、７１…空間形成部、７１Ａ…第１の主壁側部、７１Ｂ…第２の主壁側部、７１Ｃ…主壁底部、７３Ａ〜７３Ｆ…保持リブ、８０…第１の保護壁、８１Ａ…第１の保護側部、８１Ｂ…第２の保護側部、８１Ｃ…保護底部、９０…第２の保護壁、９１Ａ…第１の保護側部、９１Ｂ…第２の保護側部、９１Ｃ…保護底部、１１０…第１の仕切壁、１１１…第１の主壁突出部、１１１Ａ…接触面、１１１Ｂ…接触面、１１２…第２の主壁突出部、１１２Ａ…接触面、１１２Ｂ…接触面、１１３…第１の底壁突出部、１１３Ａ…接触面、１１３Ｂ…接触面、１２０…第２の仕切壁、１２１…第１の主壁突出部、１２１Ａ…接触面、１２１Ｂ…接触面、１２２…第２の主壁突出部、１２２Ａ…接触面、１２２Ｂ…接触面、１２３…第２の底壁突出部、１２３Ａ…接触面、１２３Ｂ…接触面、４００…製品。
【図１】
2018024442.tif 000003
【図２】
2018024442.tif 000004
【図３】
2018024442.tif 000005
【図４】
2018024442.tif 000006
【図５】
2018024442.tif 000007
【図６】
2018024442.tif 000008
【図７】
2018024442.tif 000009
【図８】
2018024442.tif 000010
【図９】
2018024442.tif 000011
【図１０】
2018024442.tif 000012